(57)【要約】【課題】  刃に絡み付いた破袋片の除去や刃の点検及び調整を容易且つ安全に行えるようにする。【解決手段】  上下が開放された破袋室１内に横向きの回転軸２を前後に軸支し、その回転軸２に半径方向へ突出する回転刃３を所定間隔おいて複数軸着し、回転軸２を正逆回転させるモータ４を設け、破袋室１の左右の側壁を開口し、その開口部に側板１ｃ，１ｄを開閉可能に設ける。側板１ｃの内面には固定刃５を回転刃３と交互に並ぶように突設し、側板１ｄの内面には上下動できる可動刃６を回転刃３と交互に並ぶように突設し、可動刃６を上方へ付勢するバネ機構７を設ける。側板１ｃ，１ｄは前後に２体設け、各側板１ｃ，１ｄの上下端をヒンジ１ｅで破袋室１の側壁に枢支して観音開き状に開閉できる構造とする。【選択図】  図５
2010137133.tif 000002
【特許請求の範囲】
【請求項１】
物品を詰めた袋体を上方から投入して破袋し、袋体の破袋片と物品に分離して下方から排出する破袋機であって、上方を投入口とし下方を排出口とした上下が開放された破袋室内に横向きの回転軸を前後に軸支し、その回転軸に半径方向へ突出する回転刃を所定間隔おいて複数軸着し、回転軸を回転させる駆動手段を設け、破袋室の左右の側壁の一部を開閉可能にし、その開閉可能な側壁部の内面に複数の刃を回転刃と交互に並ぶように突設したことを特徴とする、破袋機。
【請求項２】
開閉可能な各側壁部を前後に２体設け、各側壁部の上下端をヒンジで破袋室の側壁の前後端に枢支して観音開き状に開閉できる構造とした、請求項１記載の破袋機。
【請求項３】
左右の一方の側壁部の刃が固定刃で、他方の側壁部の刃が上下動できる可動刃で、その可動刃を上方へ付勢する付勢手段を設け、駆動手段は、常時は回転刃を固定刃の方向へ回転させ、過負荷時は可動刃の方向へ逆回転させることができるようにしたものである、請求項１又は２記載の破袋機。
【請求項４】
駆動手段が、過負荷を検出する検出手段を備え、その検出手段が過負荷を検出すると回転軸を自動的に逆回転させる制御を備えたものである、請求項３記載の破袋機。
【請求項５】
回転刃が、突出する刃を１枚づつ軸方向に角度をずらすように軸着したものである、請求項１〜４いずれか記載の破袋機。
【発明の詳細な説明】
【技術分野】
【０００１】
本発明は、物品を詰めた袋体を破袋して破袋片と物品に分離する破袋機に関する。
【背景技術】
【０００２】
従来の破袋機が特許文献１に開示されている。この技術は、上下が開放された破袋室内に横向きの回転軸を前後に軸支し、その回転軸に半径方向へ突出する回転刃を所定間隔おいて複数軸着し、回転軸を正逆方向へ揺動駆動させる駆動手段を設け、破袋室の左右の側壁の内面に複数の刃を回転刃と交互に並ぶように突設し、一方の側壁の刃を過負荷時に外方へ退避させるバネ機構を設けたことを特徴としている。
【０００３】
この技術によれば、物品を詰めた袋体を上方から投入して回転刃と側壁の刃でせん断破袋し、袋体の破袋片と物品に分離して下方から排出され、袋体と物品の分離作業を容易にするというものである。しかも、稼動中に破袋片が刃に絡み付いて過負荷が作用した場合は、回転軸の逆回転又は側壁の刃を外方へ退避させることで解消し、無停止で稼動できるというものである。
【０００４】
ところで、前記技術では、清掃時は運転を停止して絡み付いた破袋片を手作業で除去するが、このとき、破袋室の上方又は下方から手を入れて取り除くことになり、刃と刃の隙間が小さいから作業が面倒で能率が悪く、しかも怪我をする恐れがあり危険であった。また、刃の点検や調整も同様に作業が困難で危険であった。
【特許文献１】特開２００６−６１７５２号公報
【発明の開示】
【発明が解決しようとする課題】
【０００５】
本発明が解決しようとする課題は、従来のこれらの問題点を解消し、刃に絡み付いた破袋片の除去や刃の点検及び調整が容易且つ安全に行えるようにすることにある。
【課題を解決するための手段】
【０００６】
かかる課題を解決した本発明の構成は、
１）  物品を詰めた袋体を上方から投入して破袋し、袋体の破袋片と物品に分離して下方から排出する破袋機であって、上方を投入口とし下方を排出口とした上下が開放された破袋室内に横向きの回転軸を前後に軸支し、その回転軸に半径方向へ突出する回転刃を所定間隔おいて複数軸着し、回転軸を回転させる駆動手段を設け、破袋室の左右の側壁の一部を開閉可能にし、その開閉可能な側壁部の内面に複数の刃を回転刃と交互に並ぶように突設したことを特徴とする、破袋機
２）  開閉可能な各側壁部を前後に２体設け、各側壁部の上下端をヒンジで破袋室の側壁の前後端に枢支して観音開き状に開閉できる構造とした、前記１）記載の破袋機
３）  左右の一方の側壁部の刃が固定刃で、他方の側壁部の刃が上下動できる可動刃で、その可動刃を上方へ付勢する付勢手段を設け、駆動手段は、常時は回転刃を固定刃の方向へ回転させ、過負荷時は可動刃の方向へ逆回転させることができるようにしたものである、前記１）又は２）記載の破袋機
４）  駆動手段が、過負荷を検出する検出手段を備え、その検出手段が過負荷を検出すると回転軸を自動的に逆回転させる制御を備えたものである、前記３）記載の破袋機
５）  回転刃が、突出する刃を１枚づつ軸方向に角度をずらすように軸着したものである、前記１）〜４）いずれか記載の破袋機
にある。
【発明の効果】
【０００７】
本発明によれば、刃に絡み付いた破袋片を除去する場合、駆動手段を停止させて側壁部を開放する。開放した側壁部の内面には刃を有しているから、交互に並んでいた刃と刃の間隔が大きく開いて絡み付いた破袋片を容易に取り除くことができ、狭い箇所に手を差し込むことなく安全に作業できるようになる。また、刃の点検や調整も、前記と同様に側壁部を開放させた状態で容易且つ安全に行えるようになる。
【発明を実施するための最良の形態】
【０００８】
本発明では、請求項２記載の構成を具備すると、前後の側壁部を開放した際、大きな開口部を得ることができ、作業がより行い易くなる。側壁部の開閉構造としては、観音開きの他、下端を枢支して手前下方へ開放する方法や、側壁部そのものを取り外す方法がある。請求項３記載の構成を具備すると、破袋片が絡み付いて過負荷が作用した際に逆回転して絡み付きが解消され、しかも逆回転時に可動刃に大きな荷重が作用すると、可動刃が押し下げられて破袋片が円滑に排出され、無停止で稼動できる。請求項４記載の構成を具備すると、破袋片が絡み付き難く、荷重も分散されて負荷が少ないものとなる。回転刃は２枚刃の他、３枚刃や４枚刃が使用できる。以下、本発明の実施例を図面に基づいて具体的に説明する。
【実施例１】
【０００９】
図１は実施例の破袋機の平面図、図２は実施例の破袋機の側面図、図３は実施例の破袋機の縦断面図、図４は実施例の破袋機の使用状態を示す説明図、図５は実施例の側板の開放を示す説明図である。
【００１０】
図中、１は破袋室、１ａは投入口、１ｂは排出口、１ｃ，１ｄは側板（開閉可能な側壁部）、１ｅはヒンジ、１ｆはシール、１ｇはスリット、１ｈはボルト、２は回転軸、３は回転刃、４はモータ（駆動手段）、５は固定刃、６は可動刃、６ａは支持部材、７はバネ機構（付勢手段）、７ａはバネ、７ｂはガイド、７ｃはアングル、７ｄはカバー、Ａは袋体、ａは破袋片、Ｂは物品である。
【００１１】
本実施例の破袋機は、図１〜３に示すように、破袋室１は上方を投入口１ａとし下方を排出口１ｂとした上下が開放された構造で、その破袋室１内に横向きの回転軸２を前後に軸支し、その回転軸２に半径方向へ突出する１３枚の回転刃３を１０度づつ角度をずらして所定間隔に軸着し、回転軸２を正逆回転させる減速機付きのモータ４を破袋室１の端部に取り付けている。モータ４は、トルクを検出できるインバータを備え、過負荷（過トルク）がインバータで検出されると逆回転し、その後一定時間が経過すると正回転に復帰する制御を備えている。
【００１２】
破袋室１の左右の側壁は開口し、それぞれの開口部に２体の側板１ｃ，１ｄをヒンジ１ｅで観音開き状に開閉できるように枢支している。側板１ｃの内面には、１２枚の固定刃５を回転刃３と交互に並ぶように突設している。側板１ｄは開口して縦長のゴム製のシール１ｆを横に並べて取り付け、その隣接するシール１ｆ間に形成されたスリット１ｇに１２枚の可動刃６をそれぞれ通して回転刃３と交互に並ぶように支持部材６ａで支持し、その支持部材６ａを上下動可能に且つ上方へ付勢するバネ機構７を側板１ｄの外側に取り付けている。
【００１３】
バネ機構７は、支持部材６ａをバネ７ａの上部に固定し、そのバネ７ａの上部を縦向きのガイド７ｂにスライド自在に嵌合し、そのガイド７ｂをアングル７ｃで側板１ｄに取り付け、バネ７ａの下部はアングル７ｃの下部に固定している。カバー７ｄはバネ機構７の覆いである。可動刃６は、無負荷時では回転軸２と略同じ高さに位置している。
【００１４】
本実施例では、側板１ｃ，１ｄをボルト１ｈで固定して閉塞し、モータ４を作動させると、図４（ａ）に示すように、回転刃３が時計回りに回転する。ペットボトル等の物品Ｂを詰めた袋体Ａを投入口１ａから投入すると、回転刃３と固定刃５の間に噛み込まれてせん断破袋され、その破袋片ａと物品Ｂが排出口１ｂから排出される。回転刃３は一枚づつ角度がずれて軸着されているから破袋片ａが絡み付き難く、荷重も分散されて負荷が少ない。
【００１５】
引き裂かれた破袋片ａが絡み付いて回転刃３が回転し難くなると、その過負荷を検出してモータ４が逆回転し、図４（ｂ）に示すように、回転刃３が反時計回りに回転して絡み付いている破袋片ａが可動刃６の方向へ移行する。その移行した破袋片ａは回転刃３と可動刃６との間に噛み込まれ、せん断破袋されて排出される。また、せん断時に大きな荷重が作用した場合、可動刃６が下方へ押し下げられて破袋片ａを逃がすように円滑に排出させ、無停止で稼動できる。
【００１６】
清掃時はモータ４を停止してボルト１ｈを外し、図５に示すように側板１ｃ，１ｄを開放する。側板１ｃ，１ｄの内面には固定刃５や可動刃６を有しているから、交互に並んでいた刃と刃の間隔が大きく開いて絡み付いている破袋片ａを容易に取り除くことができ、狭い箇所に手を差し込むことなく安全に作業できる。また、回転刃３・固定刃５・可動刃６の点検や調整も、前記と同様に側板１ｃ，１ｄを開放させた状態で容易且つ安全に行える。
【産業上の利用可能性】
【００１７】
本発明の技術は、廃棄物の処理において、ペットボトルや缶等の物品を詰めたゴミ袋を分別回収する際、そのゴミ袋と物品に分離する用途に利用される。
【図面の簡単な説明】
【００１８】
【図１】実施例の破袋機の平面図である。
【図２】実施例の破袋機の側面図である。
【図３】実施例の破袋機の縦断面図である。
【図４】実施例の破袋機の使用状態を示す説明図である。
【図５】実施例の側板の開放を示す説明図である。
【符号の説明】
【００１９】
１  破袋室
１ａ  投入口
１ｂ  排出口
１ｃ，１ｄ  側板（開閉可能な側壁部）
１ｅ  ヒンジ
１ｆ  シール
１ｇ  スリット
１ｈ  ボルト
２  回転軸
３  回転刃
４  モータ（駆動手段）
５  固定刃
６  可動刃
６ａ  支持部材
７  バネ機構（付勢手段）
７ａ  バネ
７ｂ  ガイド
７ｃ  アングル
７ｄ  カバー
Ａ  袋体
ａ  破袋片
Ｂ  物品
【図１】
2010137133.tif 000003
【図２】
2010137133.tif 000004
【図３】
2010137133.tif 000005
【図４】
2010137133.tif 000006
【図５】
2010137133.tif 000007